(57)【要約】【課題】セッテイングが簡単であると共に、受部材の嵌合部が螺合する範囲に於いて高さ調整をすることができる基礎束を用いた床の基礎構築方法を提供すること。【解決手段】地面に基礎本体を設け、この基礎本体に土台を設ける工程、基礎本体を基準にした床形成領域内の地面に石材層を設ける工程、この石材層の各設置ポイントに、被嵌合部を有する支持台と該支持台に高さ調整可能に螺着する螺杆状嵌合部と一体の面一受板を有する受部材とから成る複数個の基礎束を単純に設置する工程、螺杆状嵌合部を梁部材の高さに対応して高さ調整した後に前記基礎束に梁部材を水平状態に載せる工程、次いで前記床形成領域内の石材層の上方から熱伝播用下地コンリートを打設する工程、しかる後に前記梁部材の上方に床部材８を設ける工程とを含む床の基礎構築方法。【選択図】  図１
2004278149.tif 000002
【特許請求の範囲】
【請求項１】
被嵌合部１３を有する支持台１０と、この支持台に高さ調整可能に螺着する螺杆状嵌合部と一体の面一受板を有する受部材１１とから成る基礎束。
【請求項２】
請求項１に於いて、受部材１１の嵌合部の上端部には複数個の取り付け突起１５ｂが形成され、これらの取り付け突起及び固着具を介して梁部材の高低差に対応して厚さの異なる複数枚の受板１６ａ、受板１６ｂ、受板１６ｃが選択的に固着されていることを特徴とする基礎束。
【請求項３】
請求項１に於いて、支持台１０は、上端開口のスカート状中空すい台と、このすい台の下面に連設し、かつ、周方向に沿って複数個の切欠部３２が形成された鍔部を有するベース板とから成ることを特徴とする基礎束。
【請求項４】
地面１に基礎本体２を設ける工程、この基礎本体に土台３を設ける工程、基礎本体を基準にした床形成領域内の地面に石材４を設ける工程、この石材の設置ポイントに、被嵌合部１３を有する支持台１０と該支持台に高さ調整可能に螺着する螺杆状嵌合部と一体の面一受板を有する受部材１１とから成る複数個の基礎束を単純に設置する工程、螺杆状嵌合部を梁部材の高さに対応して高さ調整した後に前記基礎束５に梁部材６，７を水平状態に載せる工程、しかるの後に前記梁部材の上方に床部材８を設ける工程とを含む床の基礎構築方法。
【請求項５】
地面１に基礎本体２を設け、この基礎本体に土台３を設ける工程、基礎本体を基準にした床形成領域内の地面に石材層４Ａを設ける工程、この石材層４Ａの各設置ポイントに、被嵌合部１３を有する支持台１０と該支持台に高さ調整可能に螺着する螺杆状嵌合部と一体の面一受板を有する受部材１１とから成る複数個の基礎束を単純に設置する工程、螺杆状嵌合部を梁部材の高さに対応して高さ調整した後に前記基礎束５Ａに梁部材６，７を水平状態に載せる工程、次いで前記床形成領域内の石材層４Ａの上方から熱伝播用下地コンリート３１を打設する工程、しかる後に前記梁部材の上方に床部材８を設ける工程とを含む床の基礎構築方法。
【請求項６】
請求項５に於いて、支持台１０Ａのベース部１２の鍔状周端部１２ａに、その周方向に沿って複数個の切欠部３２が形成されていることを特徴とする基礎束。
【発明の詳細な説明】
【０００１】
【発明の属する技術分野】
本発明は、建築物用基礎構造の基礎束及び床の基礎構築方法に関する。
【０００２】
【従来の技術】
建物の床の基礎構造（又は床の基礎構築方法）は、普通一般に地面に設けられた基礎本体（例えばＴ字型のコンクリート）と、この基礎本体に設けられた土台（基礎本体上の建物の構造を支える枠組み）と、土台の間に設けられた交差状の梁部材（大引きと根太）と、石材の上方に配設されかつ前記梁部材を支える床束（基礎束）と、前記梁部材の上方に設けられた床部材８とから成る。
【０００３】
日本国特許庁の特許電子図書館によれば、「鋼材、基礎、束」のキーワードが含まれる公開公報は、特許で「３０件（２００３／０２／０４）」のリストがある。例えば特許公開２００２−１１５８５９の温風床暖房用蓄熱板の基礎構造でも、断熱層の上方に複数個の起基礎束を配設して鉄鋼等の大引きや根太を支えている。
【０００４】
しかしながら、大引きや根太が鋼材であっても、梁部材は柱を介して建築物の荷重を受けるから、長期的に歪み、これが土台の変形の原因とも考えられている。そこで、現在、梁部材の長期的変形を防止することができる、セッテイングが容易である等の条件を満たす基礎束及び該基礎束を用いた床の基礎構築方法の開発が要望されている。
【０００５】
また、前記特許電子図書館によれば、「床、建築、アジャスター」のキーワードが含まれる公開公報の中には、特開平９−８８３０１の床支持束がある。この床支持束は、建造物の大引や根太を受枠で支持するに際し、受枠の高さを容易かつ広範囲に調整することができることを発明の目的とし、その構成は、「雄螺子体を螺合可能な雌螺子体を一体に形成してなる設置部材の雌螺子体に、上方から雄螺子体からなるアジャスターの下部を螺合させ、該アジャスターの上端に大引乃至根太支持用の受枠を回動自在に嵌合させ、受枠をプラスチックで一体に成形すると共に、受枠の大引乃至根太との固定箇所に厚肉部を形成したこと」である。
【０００６】
しかしながら、該床支持束は、構成部品点数が多く、またセッテイングの際には受枠を適宜に回して梁部材の下方水平部（フランジ部）に嵌合させる必要があり、さらには、受枠の種類が１種類に限定されていることから、前記受枠が梁の下方水平部の幅に適合しなければ使用が難しいという問題点があった。
【０００７】
【発明が解決しようとする課題】
本発明は以上のような従来の問題点に鑑み、第１の目的は、セッテイングが容易であること及び床板を支える梁部材の長期的変形を防止することができる基礎束及び該基礎束を用いた床の基礎構築方法を提供することである。第２の目的は、施工能率の向上化を図るため、梁部材の高低差に対応して基礎束の高さを簡単に調整することができること。第３の目的は、施工の際、当該現場の石材或いはフイルムと梁部材との空間（高低差）に対応する基礎束を選択的に使用することができること。第４の目的は、複数個の基礎束が下地コンリートと一体となって建物の荷重により梁部材が変形しないように支持することができると共に、地中の蓄熱が石材層、下地コンリートをそれぞれ介して床部材に伝播することである。その他基礎束が強靭であること、長年使用しても腐食しないこと等を目的とする。
【０００８】
【課題を解決するための手段】
本発明の基礎束は、被嵌合部１３を有する支持台１０と、この支持台に高さ調整可能に螺着する螺杆状嵌合部と一体の面一受板を有する受部材１１とから成る。
【０００９】
上記構成に於いて、基礎束は、受部材１１の螺杆状嵌合部の上端部には複数個の取り付け突起１５ｂが形成され、これらの取り付け突起及び固着具を介して梁部材の高低差に対応して厚さの異なる複数枚の受板１６ａ、受板１６ｂ、受板１６ｃが選択的に固着されていることを特徴とする。また、基礎束は、強靭にするために、その支持台１０は、上端開口のスカート状中空すい台と、このすい台の下面に連設し、かつ、周方向に沿って複数個の切欠部３２が形成された鍔部を有するベース板とから成ることを特徴とする。
【００１０】
また、本発明の床の基礎構築方法は、地面１に基礎本体２を設ける工程、この基礎本体に土台３を設ける工程、基礎本体を基準にした床形成領域内の地面に石材４を設ける工程、この石材の設置ポイントに、被嵌合部１３を有する支持台１０と該支持台に高さ調整可能に螺着する螺杆状嵌合部と一体の面一受板を有する受部材１１とから成る複数個の基礎束を単純に設置する工程、螺杆状嵌合部を梁部材の高さに対応して高さ調整した後に前記基礎束５に梁部材６，７を水平状態に載せる工程、しかるの後に前記梁部材の上方に床部材８を設ける工程とを含むことを特徴とする。
【００１１】
さらに本発明の床の基礎構築方法は、地面１に基礎本体２を設け、この基礎本体に土台３を設ける工程、基礎本体を基準にした床形成領域内の地面に石材層４Ａを設ける工程、この石材層４Ａの各設置ポイントに、被嵌合部１３を有する支持台１０と該支持台に高さ調整可能に螺着する螺杆状嵌合部と一体の面一受板を有する受部材１１とから成る複数個の基礎束を単純に設置する工程、螺杆状嵌合部を梁部材の高さに対応して高さ調整した後に前記基礎束５Ａに梁部材６，７を水平状態に載せる工程、次いで前記床形成領域内の石材層４Ａの上方から熱伝播用下地コンリート３１を打設する工程、しかる後に前記梁部材の上方に床部材８を設ける工程とを含むことを特徴とする。
【００１２】
【発明の実施の形態】
図１乃至図８は、発明の実施形態の一例（基礎束と床の基礎構築方法）である。まず、実施形態の環境を説明すると、１は建物を建築する時に使用される地面である。２は地面に設けられた基礎本体である。基礎本体２は、周知の基礎が全て含まれる。本実施例では逆Ｔ字型の布基礎が採用されている。３は基礎本体２に設けられた土台である。土台３は、周知のように、基礎本体２の上面に縦と横方向に区画して水平状態に設けられる。４は土台３或いは基礎本体２を基準にした床形成領域内の地面１に設けられた石材である。５は各石材４の上方に設けら、かつ、第１及び第２梁部材６，７をそれぞれ水平状態に支持する複数個の基礎束である。８は前記梁部材６，７の上方に設けられた床部材である。第１実施例の床の基礎構築方法Ｘは、前記地面１、基礎本体２、土台３、石材４、複数個の基礎束５、第１及び第２梁部材６，７、床部材８が発明の特定（必須）要件である（説明の便宜上、物で図示する）。
【００１３】
前記に於いて、「石材」とは、砂利、砕石、砂、素材を再処理して形成したもの、焼却残渣を固めたものなど粉状物、粒状物、固形物を問わず基礎束を支えることができる有体物を指す。本実施例では所要間隔を有して地面１に配設された複数個のコンクリート製束石が用いられている。また「第１及び第２梁部材」とは、左右前後に区画された土台間に該土台に一体的に架け渡された大引き、根太を指す。大引きは、周知のように床部材８を支える支持杆であり、根太は大引きだけでも床部材８を置くのに不足する所に大引きとは直交に設けられる支持杆である。本実施例では、第１梁部材６は、鋼材の一例としてＨ型鋼を用いている。また、第２梁部材として逆Ｔ字型鋼と角材を合体させたものを用いている（図８参照）。また「床部材」とは、各種床、各種床シート、畳類、組み立て床など建物の床板に使用される物を指す。
【００１４】
本発明の特徴点である基礎束５について説明する。基礎束５は、図２で示すように内方土台と一体の構造物である第１梁部材（大引き）６及び該第１梁部材と直交する第２梁部材（根太）７を支持する支持台（床組構成部材）の一種であり、第１又は／及び第２梁部材が変形しないように梁部材の下方に複数個所要箇所（設置ポイント）に自由に単純設置される。
【００１５】
図３〜図７を参照にして詳しく説明する。基礎束５は、支持台１０と、この支持台に高さ調整可能に螺着嵌合する受部材１１とから成る。支持台１０と、受部材１１とは、ＡＢＳ樹脂等のプラスチックスを素材とし、射出成形でそれぞれ別体に形成されている。したがって、施工の際には「二物品」を組み合わせて使用される。なお、受部材１１は高さ寸法が異なる物が複数個用意されている。
【００１６】
しかして、支持台１０は、基本的には、石材４の上面に載置されるベース板１２と、このベース板１２の上面に台状（例えば球台、各柱、円柱、すい台等）に連設する被嵌合部１３とから成る。本実施例では外周壁１３ａがスカート状の中空すい台である。支持台１０は、上端開口のスカート状中空すい台にし、かつ、中空すい台にフランジ状の脚部を設けると、基礎束５を安定的に設置することができる。
【００１７】
脚部としてのベース板１２は、図５で示すように円板状（多角形でも良い）に形成され、また、被嵌合部１３は、ベース板１２の周端部１２ａが鍔部となるように該周端部１２ａ寄りの部位からその外壁面１３ａがスカート状に上方へと連設している。被嵌合部１３の中央部には、図６で示すようにその上面からベース板１２の中央部に向かってメネジ１４が形成されている。メネジ１４の深さは任意に設定することができる。
【００１８】
一方、支持台１０に螺合する受部材１１は、螺杆状の嵌合部１５と、この嵌合部１５の上端面に突出状に固定された上面が面一の受板（面一受板）１６とから成る。嵌合部１５は支持台１０の被嵌合部１３に取り外し可能に螺着する。また面一受板１６は矩形（円形でも良い）状に形成され、図３，図４で示すように梁部材６，７の下面をどの位置からでも自由に支持する。したがって、施工の際には、基礎束５を設置ポイントに単純に置くだけで良い。
【００１９】
１７は前記嵌合部１５の外周面に刻設されたオネジ１５ａに螺合する短筒状の補助ストッパー（ロック筒）で、この補助ストッパー１７は、受部材１１を支持台１０から取り外した場合に於いて、嵌合部１５から分離することができるが、嵌合部１５に螺合して取り付け、受部材１１の高さ位置を調整した後には、適宜にロック方向に回し、その下面１７ａが被嵌合部１３の上面に当接するようにする。これにより、嵌合部１５は支持台１０の被嵌合部１３及び補助ストッパー１７の両方に螺合するので、全体の螺合範囲が広がると共に、ロック機能も付与される。したがって、受部材１１は支持台１０に下がらないように強力に支持される。
【００２０】
ところで、図５で示すように、螺杆状の嵌合部１５の上端部には、周方向に所定間隔を有して複数個の取り付け用突起１５ｂ（合計４個）が形成されている。基礎束５は、全体を硬質合成樹脂材で形成しても良いが、受板１６のみを異質の材料にしても良い（例えば板材）。本実施例の場合には、受板１６と螺杆状嵌合部１３とは別体に成形或いは製作されているので、受板１６に関しては、３ｃｍの受板１６ａ、５ｃｍの受板１６ｂ、８ｃｍの受板１６ｃというように厚さの異なるものを複数個用意し、梁部材６，７の高低差に対応して選択的に嵌合部１３に固着することができるように工夫をしている。つまり、石材４から梁部材６，７までの高低差に対応して受板１６の肉厚の異なる基礎束５を施工現場で選択的に採用することができる。それ故に、受部材１１の嵌合部１５には、複数個の突起１５ｂ及び固着具１８を介して肉厚の異なる面一受板１６がそれぞれ固定される。
【００２１】
ところで、基礎束５の材質については特に限定するものではない。例えば硬質合成樹脂材、コンクリート、木材、金属などである。本実施例では、強靭性、軽量性、安価性、腐食性などの事情を勘案し、硬質の合成樹脂材を素材している。なお、基礎束５の支持台１０をさらに強靭にするために、その外周壁１３ａに縦方向に補強リブを複数個形成しても良い。
【００２２】
ここで、土台と一体の構造物である第１梁部材（大引き）６と第２梁部材（根太）７の実施例について補足説明をする。第１梁部材６は、本実施例では、鋼材の一例としてＨ型鋼を用いる旨を説明したが、これに限定されるものではない。例えば第１梁部材を強靭化するために、図８で示すような構成にしても良い。
【００２３】
すなわち、この第１梁部材６Ａ（第２梁部材７も同様）は、逆Ｔ形状をなす鋼材２０と、木製の角材２１とを一体的に結合したものである。しかして、第１梁部材６Ａ又は／及び第２梁部材７は、水平部（フランジ部）２２から垂直に延びるリブ２３を有する鋼材２０と、前記リブ２３が嵌入する長手方向切欠部２４を有する角材２１とから構成され、複数個の基礎束５に支持される。
【００２４】
次に上記基礎束を用いた床の基礎構築方法について説明する。まず、当然のことであるが、地面１に基礎本体２を設け、そして、この基礎本体に土台３を設ける。次に基礎本体を基準にした床形成領域内の地面に石材４を設け、この石材の設置ポイントに、被嵌合部１３を有する支持台１０と該支持台に高さ調整可能に螺着する螺杆状嵌合部と一体の面一受板を有する受部材１１とから成る複数個の基礎束５を単純に設置する。この時基礎束５を梁部材の形状（下方のフランジ部）に合わせて回す必要はない。次いで螺杆状嵌合部１５を梁部材６，７の高さに対応して高さ調整する。次に前記基礎束５に梁部材６，７を水平状態に載せる。
【００２５】
しかる後に前記梁部材６，７の上方に床部材８を設ける。なお、施工方法如何によっては、前記梁部材６，７を掛け渡した後に、それらの下方に基礎束５を組み込んでも良い。
【００２６】
【実施例】
第１実施例に於いて、被嵌合部１３を有する支持台１０及び嵌合部１５と面一受板１６を有する受部材１１は、ＡＢＳ樹脂等のプラスチックスを素材とし、例えば射出成形でそれぞれ別体に形成し、「二物品」を組み合わせて使用される。本発明の基礎束は、二物品であることから、組み合わせが極めて容易である。
【００２７】
したがって、床の基礎を構築する際に施工作業の効率化を図ることができる。なお、支持台１０に被嵌合部１３を形成し、一方、支持台１０に嵌合する受部材１１に嵌合部１５を形成したが、支持台１０に嵌合部１５を形成し、一方、支持台１０に被嵌合部１３を形成することは、発明の同一又は均等事項である。
【００２８】
次に図９乃至図１２は、第２の床の基礎構築方法である。なお、第２実施例の説明にあたって、第１実施例と同一の部分には、同一又は同様の符号を付して重複する説明を省略する。
【００２９】
第２実施例は、第１の床の基礎構築方法Ｘと主要部が同一であり、主たる発明の目的（梁部材の変形防止、基礎束のセッテイングの容易化、施工能率の向上化）が同一であるが、これに他の目的（地中の蓄熱の利用化）が加味されている点が異なる。
【００３０】
したがって、第２実施例の床の基礎構築方法Ｘ１は、前記地面１、基礎本体２、土台３、石材４、複数個の基礎束５、第１及び第２梁部材６，７、床部材８に、「下地コンリート３１」が発明の構成要件として加味されている（床の基礎構築方法Ｘ１も説明の便宜上、図では物で示す）。
【００３１】
すなわち、床の基礎構築方法Ｘ１が第１の床の基礎構築方法Ｘと主に異なる所は、（１）石材４Ａが粉状物、粒状物等の石材層である点、つまり、石材層４Ａが床構築領域に敷き詰められている点、（２）この石材層４Ａの上面に該石材層４Ａ以下の地中の蓄熱を床板８に伝播する熱伝播合成樹脂製フイルム３０を敷設した点、（３）このフイルム３０の上面に基礎束５Ａを複数個配設した点、（４）この基礎束５Ａも含め、前記フイルム３０の上面から、又はフイルム３０を介さないで石材層４Ａの上方から第１梁部材（大引き）６及び第２梁部材（根太）７の上面まで硬化した熱伝播下地コンリート３１を設けた点である。
【００３２】
上記構成に於いて、熱伝播下地コンリート３１は、フイルム３０の上面に複数個の基礎束５Ａを梁部材６，７に対してそれぞれ設置ポイントを決めて単純に配設した後、次いで梁部材６，７を基礎束５Ａの上面に載せ、次いで該梁部材６，７と土台３とを図示しない連結板を介して一体化された後に床構築領域へと梁部材６，７の上縁に沿って下地コンリート３１を打設する。なお、この場合にも、施工方法如何によっては、前記梁部材６，７を掛け渡した後に、それらの下方に基礎束５Ａを組み込んでも良い。
【００３３】
しかして、熱伝播下地コンリート３１が硬化すると、床の基礎構造が出来上がり、基礎束５Ａは下地コンリート３１と一体となって梁部材６，７が建物の荷重により変形しないように支持すると共に、地中の蓄熱が石材層４Ａ、フイルム３０及び下地コンリート３１をそれぞれ介して床部材８に伝播する。
【００３４】
ところで、第２実施例の基礎束５Ａは、下地コンリート３１が硬化する性質を有することから、下地コンリート３１が脚部に入り込むように、支持台１０Ａのベース部１２の周端部１２ａに、その周方向に沿って複数個の環状的切欠部３２（例えば同心円上に４重の間欠的切欠部）が形成されている。このように多数の切欠部３２を形成すると、基礎束５Ａは、下地コンリート３１の硬化時、下地コンリート３１と確実に合体するという利点がある。
【００３５】
【発明の効果】
以上の説明から明らかなように、本発明にあっては、次に列挙するような効果がある。
（１）本発明の基礎束は、床板を支える梁部材の長期的変形を防止することができる。また二物品であることから、組み合わせが極めて容易である。
（２）また二物品であること、受部材の受板の上面が面一であること等の理由から、セッテイングが簡単であると共に、受部材の嵌合部が螺合する範囲に於いて高さ調整をすることができる。特に、受部材の受板の上面が面一であるから、基礎束を設置ポイントに単純に置くだけで良い。したがって、床の基礎を構築する際に施工作業の効率化を図ることができる。
（３）第２の床の基礎構築方法は、複数個の基礎束が下地コンリートと一体となって梁部材が変形しないように支持することができると共に、地中の蓄熱が石材層、下地コンリートをそれぞれ介して床部材に伝播することができる。また前記（１）、（２）の効果を得ることもできる。
（４）受部材が、螺杆状の嵌合部と、厚さが異なる選択可能な複数枚の受板とから成る実施例の場合には、施工現場に於いて、石材或いは石材層と梁部材との空間（高低差の意味）に対応する基礎束を選択することができる。
（５）硬質の合成樹脂材で形成されている実施例の場合には、長年使用しても腐食しない。
（６）支持台のベース部の周端部に、多数の切欠部３２を有する実施例の場合には、基礎束５Ａは、下地コンリート３１の硬化時、下地コンリート３１と確実に合体する。
【図面の簡単な説明】
図１乃至図８は本発明の第１実施例（第１の基礎束と第１の方法の発明）を示す各説明図。図９乃至図１２は本発明の第２実施例（第２の基礎束と第２の方法の発明）を示す各説明図。
【図１】発明の実施形態の一例を示す概略説明図。
【図２】本発明の要部（基礎束）の配設の一例を示す概略説明図。
【図３】基礎束で第１梁部材を支持した概略説明図。
【図４】基礎束で第２梁部材を支持した概略説明図。
【図５】基礎束を斜め下方見た説明図。
【図６】基礎束の縦断面概略説明図。
【図７】基礎束の高さ調整の説明図。
【図８】第１梁部材又は第２梁部材の概略説明図。
【図９】第２実施例を示す図１と同様の概略説明図。
【図１０】発明の実施形態を一部縦断面で示す概略説明図。
【図１１】主要部の概略説明図。
【図１２】基礎束の他の例を示す図５と同様の説明図。
【符号の説明】
Ｘ，Ｘ１…床の基礎構造、１…地面、２…基礎本体、３…土台、４…石材、４Ａ…石材層、５，５Ａ…基礎束、６，７…第１及び第２梁部材、８…床部材、１０，１０Ａ…支持台、１１…受部材、１２…ベース板、１３…被嵌合部、１４…メネジ、１５…嵌合部、１６…受板、１７…補助ストッパー、３０…フイルム、３１…下地コンクリート。
【図１】
2004278149.tif 000003
【図２】
2004278149.tif 000004
【図３】
2004278149.tif 000005
【図４】
2004278149.tif 000006
【図５】
2004278149.tif 000007
【図６】
2004278149.tif 000008
【図７】
2004278149.tif 000009
【図８】
2004278149.tif 000010
【図９】
2004278149.tif 000011
【図１０】
2004278149.tif 000012
【図１１】
2004278149.tif 000013
【図１２】
2004278149.tif 000014